(57)【特許請求の範囲】
【請求項１】
ジェットポンプ作用により供給される洗浄水によって便器を洗浄して汚物を排出する水洗大便器装置であって、
汚物を受けるボウル部と、このボウル部に洗浄水を導くための導水路と、を備え、この導水路の流入口が水平前後方向に開口するように形成された便器本体であって、上記ボウル部の後方側に形成され且つ上記便器本体の上面から下方に凹む設置スペースを含む上記便器本体と、
この便器本体のボウル部よりも後方側の上記設置スペース内に組み付けられて、給水源から供給される洗浄水の一部が貯留されると共に上記便器本体の導水路に洗浄水を供給するタンクと、
上記タンクの流出口及び上記便器本体の導水路の流入口のそれぞれに水密に接続されるシール部材と、
上記タンクが上記設置スペース内に組み付けられた後、上記タンクの内部に挿入された状態で上記便器本体と上記タンクとをそれぞれ上記シール部材を介して水密に接続可能にする接続部材であって、その一端が上記タンクの内部から上記タンクの流出口を介して上記便器本体の導水路の流入口に挿入された状態で上記便器本体の導水路と上記タンク内とを連通可能にする連通管部を備えた上記接続部材と、を有し、
上記接続部材の連通管部は、上記接続部材の一端から他端まで延びており、この他端が上方側に差し向けられて屈曲しており、
上記タンクは、その内部に少なくとも一部が水没した状態で配置されるジェットポンプユニットと、上記給水源から供給される洗浄水を上記タンク内の水位に応じて上記ジェットポンプユニットに給止水する給水弁と、備え、
上記ジェットポンプユニットは、上記給水源から供給される洗浄水を噴射するジェットノズルと、一端に吸引口が形成されると共に他端が上記連通管部に接続される流出口を形成するスロート管と、を備え、上記ジェットノズルが上記スロート管の吸引口から内部に向けて洗浄水をジェット噴射することにより、上記スロート管内を流れる洗浄水の流量を上記ジェットノズルから噴射された洗浄水の流量よりも増大させるジェットポンプ作用を誘発させて、増大した流量の洗浄水を上記スロート管から上記便器本体の導水路に向けて供給するものであり、
上記便器本体又は上記タンクには、上記タンクが上記設置スペース内に組み付けられた後、且つ、上記接続部材により上記便器本体と上記タンクとを上記シール部材を介して水密に接続した後で、上記タンクの姿勢を水平状態に調整可能にする水平調整部が設けられていることを特徴とする水洗大便器装置。
【請求項２】
上記水平調整部は、上記タンクの流出口から上記便器本体の上記導水路の流入口までの区間における上記連通管部の連通管路を水平状態に調整可能にする複数の部材を備えている請求項１記載の水洗大便器装置。
【請求項３】
上記水平調整部は、上記便器本体と上記タンクとの間に介在して設けられて上記タンクが上記便器本体のボウル部よりも後方側の上記設置スペース内に組み付けられた後、上記タンクの高さ位置を調整操作可能とする操作部を備えている請求項２記載の水洗大便器装置。
【請求項４】
上記シール部材は、上記タンクが上記設置スペース内に組み付けられた状態で、上記タンクの流出口に取り付けられたタンク流出口側シール部と、上記便器本体の流入口に取り付けられた便器本体流入口側シール部と、を備えており、
上記水平調整部は、上記タンク流出側シール部の中心軸線、上記便器本体流入口側シール部の中心軸線、及び上記連通管部の連通管路の中心軸線の互いの位置合わせを可能にするものである請求項１記載の水洗大便器装置。
【請求項５】
上記水平調整部は、上記タンクの外側部分の外面に設けられている請求項１記載の水洗大便器装置。
【請求項６】
上記水平調整部は、上記タンクの背面側且つ左右両側の基底部に設けられている請求項５記載の水洗大便器装置。
【発明の詳細な説明】
【技術分野】
【０００１】
本発明は、水洗大便器装置に係り、特に、ジェットポンプ作用により供給される洗浄水によって便器を洗浄して汚物を排出する水洗大便器装置に関する。
【背景技術】
【０００２】
従来から、ジェットポンプ作用により供給される洗浄水によって便器を洗浄して汚物を排出する水洗大便器装置として、例えば、特許文献１に記載されているように、給水源から供給される洗浄水の一部が貯留されると共に便器本体に洗浄水を供給するタンクが便器本体の上面に設置されているものが知られている。
【先行技術文献】
【特許文献】
【０００３】
【特許文献１】特開２０１４−１９００６５号公報
【発明の概要】
【発明が解決しようとする課題】
【０００４】
近年、水洗大便器装置のデザインの多様化と節水化により、タンクが便器本体の後方側の比較的低い位置に配置されることにより、タンクの上端の高さ位置を低い位置に設定し、水洗大便器装置全体の高さを抑えた、いわゆる、「ローシルエットタイプ」のタンクが採用されているが、このようなローシルエットタイプのタンクについて、前後方向（奥行方向）の幅や左右方向（横方向）の幅もコンパクトなタンクにしようとすると、タンクと便器本体との接続をタンクの内部で行うことが考えられる。
そこで、タンクについて、便器本体に対して所定の設置位置に予め組み付けた後、タンクの内部からタンクの流出口と便器本体の流入口とを水密に接続することも考えられるが、このような場合、便器本体の流入口の軸心（中心軸線）とタンクの流出口の軸心（中心軸線）とがずれていると、例えば、便器本体の流入口とタンクの流出口とを連通させる連通管が斜めに配置されることになる。
したがって、便器本体に対してタンクが接続された状態では、タンクが斜めに配置されることになり、所望のタンク内の水位が得られなくなり、ジェットポンプ作用を誘発させるジェットポンプユニットや関連部品がタンク内の水位に応じて正しく作動しなくなるという問題がある。
これらの結果、タンクから便器本体に供給される洗浄水量が安定せず、洗浄性能が低下したり、節水性能が低下したりするおそれがあるという問題がある。
【０００５】
そこで、本発明は、上述した従来技術の問題を解決するためになされたものであり、装置全体を小型化することができると共に、洗浄性能と節水性能の低下を抑制することができる水洗大便器装置を提供することを目的としている。
【課題を解決するための手段】
【０００６】
上記の目的を達成するために、本発明は、ジェットポンプ作用により供給される洗浄水によって便器を洗浄して汚物を排出する水洗大便器装置であって、汚物を受けるボウル部と、このボウル部に洗浄水を導くための導水路と、を備え、この導水路の流入口が水平前後方向に開口するように形成された便器本体であって、上記ボウル部の後方側に形成され且つ上記便器本体の上面から下方に凹む設置スペースを含む上記便器本体と、この便器本体のボウル部よりも後方側の上記設置スペース内に組み付けられて、給水源から供給される洗浄水の一部が貯留されると共に上記便器本体の導水路に洗浄水を供給するタンクと、上記タンクの流出口及び上記便器本体の導水路の流入口のそれぞれに水密に接続されるシール部材と、上記タンクが上記設置スペース内に組み付けられた後、上記タンクの内部に挿入された状態で上記便器本体と上記タンクとをそれぞれ上記シール部材を介して水密に接続可能にする接続部材であって、その一端が上記タンクの内部から上記タンクの流出口を介して上記便器本体の導水路の流入口に挿入された状態で上記便器本体の導水路と上記タンク内とを連通可能にする連通管部を備えた上記接続部材と、を有し、上記接続部材の連通管部は、上記接続部材の一端から他端まで延びており、この他端が上方側に差し向けられて屈曲しており、上記タンクは、その内部に少なくとも一部が水没した状態で配置されるジェットポンプユニットと、上記給水源から供給される洗浄水を上記タンク内の水位に応じて上記ジェットポンプユニットに給止水する給水弁と、備え、
上記ジェットポンプユニットは、上記給水源から供給される洗浄水を噴射するジェットノズルと、一端に吸引口が形成されると共に他端が上記連通管部に接続される流出口を形成するスロート管と、を備え、上記ジェットノズルが上記スロート管の吸引口から内部に向けて洗浄水をジェット噴射することにより、上記スロート管内を流れる洗浄水の流量を上記ジェットノズルから噴射された洗浄水の流量よりも増大させるジェットポンプ作用を誘発させて、増大した流量の洗浄水を上記スロート管から上記便器本体の導水路に向けて供給するものであり、上記便器本体又は上記タンクには、上記タンクが上記設置スペース内に組み付けられた後、且つ、上記接続部材により上記便器本体と上記タンクとを上記シール部材を介して水密に接続した後で、上記タンクの姿勢を水平状態に調整可能にする水平調整部が設けられていることを特徴としている。
このように構成された本発明においては、便器本体のボウル部よりも後方側の設置スペース内に組み付けられた状態でタンクの姿勢を水平状態に調整可能な水平調整部が便器本体又はタンクに設けられているため、仮にタンクが傾いた状態で便器本体のボウル部よりも後方側の設置スペース内に組み付けられたとしても、水平調整部によりタンクの姿勢を水平状態になるように調整することができる。
したがって、例えば、適用するタンクについて、タンク内の深さが比較的浅く、タンクの上端高さ位置が低いタイプのタンク（いわゆる、「ローシルエットタイプのタンク」という。）で、その前後方向（奥行方向）の幅や左右方向（横方向）の幅もコンパクトなタンクにすることができるため、水洗大便器装置全体についても、高さを抑えたローシルエットにすることができ、小型化することができる。
また、タンク及びその内部の水位が傾くことによってタンク内のジェットポンプユニットのジェットポンプ作用によるタンク内の洗浄水の吸引量が低下してしまうことを抑制することができるため、ジェットポンプ性能の低下を抑制することができる。
したがって、タンクから便器本体に供給される洗浄水量を安定化させることができるため、洗浄性能の低下を抑制することができると共に、節水性能の低下についても抑制することができる。
【０００７】
本発明において、好ましくは、上記水平調整部は、上記タンクの流出口から上記便器本体の上記導水路の流入口までの区間における上記連通管部の連通管路を水平状態に調整可能にする複数の部材を備えている。
このように構成された本発明においては、仮に、本発明以外の場合においてタンクの流出口の中心軸線と便器本体の導水路の流入口の中心軸線とがずれている場合、接続部材の連通管部の下流側の流路（例えば、便器本体の導水路等）において、洗浄水の流れのベクトルが変化するため、タンク側においても、ジェットポンプユニットのジェットポンプ作用によるタンク内の洗浄水の吸引量が低下し、ジェットポンプ性能が低下するおそれがある。
これに対し、本発明によれば、水平調整部がタンクの流出口から便器本体の導水路の流入口までの区間における接続部材の連通管部の連通管路を水平状態に調整可能にする複数の部材を備えていることにより、タンクが便器本体の設置スペース内に組み付けられた後、位置決め部材によりタンクの流出口から便器本体の導水路の流入口までの区間における接続部材の連通管部の連通管路を水平状態に容易に位置決めすることができ、タンクの流出口の中心軸線と便器本体の導水路の流入口の中心軸線との位置合わせを容易に行うことができる。
したがって、接続部材の連通管部からその下流側の便器本体の導水路に流れる洗浄水の流れのベクトルの変化を抑制することができるため、タンク側においても、ジェットポンプユニットのジェットポンプ作用によるタンク内の洗浄水の吸引量の低下を抑制することができ、ジェットポンプ性能の低下を抑制することができる。
【０００８】
本発明において、好ましくは、上記水平調整部は、上記便器本体と上記タンクとの間に介在して設けられて上記タンクが上記便器本体のボウル部よりも後方側の上記設置スペース内に組み付けられた後、上記タンクの高さ位置を調整操作可能とする操作部を備えている。
このように構成された本発明においては、タンクが便器本体の設置スペース内に組み付けられた後、例えば、タンクの高さ位置を微調整したり、タンクの姿勢を水平状態に微調整したりする必要等が生じた場合には、タンクを便器本体の導水路の後方側の設置スペース内から取り外すことなく、水平調整部の操作部を操作するだけで、簡単に便器本体に対するタンクの高さ位置を微調整したり、簡単にタンクの姿勢を水平状態に微調整したりすることができる。
したがって、タンクの姿勢を水平状態に保つことにより、ジェットポンプユニットのジェットポンプ作用によるタンク内の洗浄水の吸引量の低下を抑制することができ、ジェットポンプ性能の低下を抑制することができる。
【０００９】
本発明において、好ましくは、上記シール部材は、上記タンクが上記設置スペース内に組み付けられた状態で、上記タンクの流出口に取り付けられたタンク流出口側シール部と、上記便器本体の流入口に取り付けられた便器本体流入口側シール部と、を備えており、上記水平調整部は、上記タンク流出側シール部の中心軸線、上記便器本体流入口側シール部の中心軸線、及び上記連通管部の連通管路の中心軸線の互いの位置合わせを可能にするものである。
このように構成された本発明においては、シール部材が、タンクが設置スペース内に組み付けられた状態で、タンクの流出口に取り付けられたタンク流出口側シール部と、便器本体の流入口に取り付けられた便器本体流入口側シール部と、を備えており、水平調整部が、タンク流出側シール部の中心軸線、便器本体流入口側シール部の中心軸線、及び連通管部の連通管路の中心軸線の互いの位置合わせを可能にするものであることにより、タンクの流出口や便器本体の流入口におけるシール性を向上させることができ、タンク流出口側シール部、便器本体流入口側シール部、及び接続部材の連通管部の互いに対しても、より確実に水密に接続することができる。
本発明において、好ましくは、上記水平調整部は、上記タンクの外側部分の外面に設けられている。
このように構成された本発明においては、水平調整部がタンクの外側部分の外面に設けられているため、水平調整部の操作がしやすく、簡単に便器本体に対するタンクの高さ位置を微調整したり、簡単にタンクの姿勢を水平状態に微調整したりすることができる。
本発明において、好ましくは、上記水平調整部は、上記タンクの背面側且つ左右両側の基底部に設けられている。
このように構成された本発明においては、水平調整部がタンクの背面側且つ左右両側の基底部に設けられているため、水平調整部の操作がしやすく、簡単に便器本体に対するタンクの高さ位置を微調整したり、簡単にタンクの姿勢を水平状態に微調整したりすることができる。
【発明の効果】
【００１０】
本発明の水洗大便器装置によれば、装置全体を小型化することができると共に、洗浄性能と節水性能の低下を抑制することができる。
【図面の簡単な説明】
【００１１】
【図１】本発明の一実施形態による水洗大便器装置の概略斜視図である。
【図２】図１のＩＩ−ＩＩ線に沿って見た中央側面断面図である。
【図３】本発明の一実施形態による水洗大便器装置における洗浄水タンク装置の内部構造を示す平面図である。
【図４】本発明の一実施形態による水洗大便器装置の洗浄水タンク装置の基本構成を示すブロック図である。
【図５】図２のＡ部拡大図である。
【図６】本発明の一実施形態による水洗大便器装置の背面図である。
【図７】図６に示す本発明の一実施形態による水洗大便器装置における洗浄水タンク装置の貯水タンクを便器本体に固定する固定装置を拡大した概略斜視図である。
【図８】本発明の一実施形態による水洗大便器装置における洗浄水タンク装置の貯水タンクを便器本体に固定する固定装置の概略図である。
【図９】本発明の一実施形態による水洗大便器装置における便器本体と貯水タンクとの接続状態を確認するときの状態を示す斜視図である。
【図１０Ａ】本発明の一実施形態による水洗大便器装置において洗浄水タンク装置の貯水タンクが便器本体の後方側の所定の設置位置に組み付けられていない施工開始前状態を示す概略断面図である。
【図１０Ｂ】図１０Ａに示す施工開始前状態の後、本発明の一実施形態による水洗大便器装置の洗浄水タンク装置の内部部品が内装されていない状態の貯水タンクのみが便器本体の後方側の所定の設置位置に組み付けられた第１の施工状態を示す概略断面図である。
【図１０Ｃ】図１０Ｂに示す第１の施工状態の後、本発明の一実施形態による水洗大便器装置の洗浄水タンク装置の接続管部材のみが貯水タンクの内部に挿入された後、貯水タンクの流出口及び便器本体の導水路の流入口のそれぞれにパッキンを介して水密に接続された第２の施工状態を示す概略断面図である。
【図１０Ｄ】図１０Ｃに示す第２の施工状態の後、本発明の一実施形態による水洗大便器装置の洗浄水タンク装置の内部部品が貯水タンク内に内装されて、その一部が接続管部材に接続された第３の施工状態を示す概略断面図である。
【図１１Ａ】本発明の一実施形態による水洗大便器装置において、貯水タンクが所定の設置位置に組み付けられた状態で貯水タンクの流出口の中心軸線と便器本体の導水路の流入口の中心軸線とが互いに一致した正しい位置合わせが行われた結果、貯水タンクの流出口から便器本体の導水路の流入口までの区間における接続管部材の連通管部が水平状態で正しく水密に接続されている状態を示す概略図である。
【図１１Ｂ】図１１Ａに示す本発明の一実施形態による水洗大便器装置の比較例として、貯水タンクが所定の設置位置に組み付けられた状態で貯水タンクの姿勢が傾いた状態となり、貯水タンクの流出口の中心軸線と便器本体の導水路の流入口の中心軸線とが互いにずれた結果、貯水タンクの流出口から便器本体の導水路の流入口までの区間における接続部材の連通管部が正しく水密に接続されていない状態を示す概略図である。
【発明を実施するための形態】
【００１２】
以下、添付図面を参照して、本発明の一実施形態による水洗大便器装置について説明する。
まず、図１〜図４により、本発明の一実施形態による水洗大便器装置の基本構造について説明する。
図１は、本発明の一実施形態による水洗大便器装置の概略斜視図であり、図２は、図１のＩＩ−ＩＩ線に沿って見た中央側面断面図である。
【００１３】
まず、図１及び図２に示すように、本発明の一実施形態による水洗大便器装置１は、例えば、６．０リットル以下の洗浄水、好ましくは、３．０リットル〜４．８リットルの洗浄水で洗浄する、いわゆる、節水型の洗い落とし式の水洗大便器であり、陶器製の便器本体２を備えている。
また、図１及び図２に示すように、水洗大便器装置１は、便器本体２の後方側上端のタンク蓋２ａを取り外した状態で便器本体２の後方側の所定の設置スペースＳ１内に設置された洗浄水タンク装置４を備えおり、この洗浄水タンク装置４により便器本体２に洗浄水が供給されるようになっている。
【００１４】
つぎに、図２に示すように、便器本体２は、その前方側に設けられて汚物を受けるボウル部６と、このボウル部６の上縁に形成されたリム部８とを備えている。
また、便器本体２のボウル部６の底部には、排水トラップ管路１０の入口１０ａが開口し、この排水トラップ管路１０は、その入口１０ａから斜め下方且つ後方側に延びた後、斜め上方且つ後方側の頂部まで延びて、その後、下方に延びて、床面に設置された排水ソケット（図示せず）に接続されている。
また、図２に示すように、便器本体２のボウル部６の後方側から側方のリム部８内には、洗浄水タンク装置４から供給された洗浄水をボウル部６に導くための導水路１４が形成されていると共に、この導水路１４内の洗浄水が吐出される吐水口１６がリム部６の一部に形成されている。
【００１５】
なお、本実施形態による水洗大便器装置１においては、高さ方向の落差により汚物を排出する洗い落とし式便器の形態について説明するが、サイホン作用を利用してボウル部６内の汚物を吸い込んで排水トラップ管路１０から一気に外部に排出する、いわゆる、サイホン式便器であってもよいし、これら以外の形態の便器でも適用可能である。
また、本実施形態による水洗大便器装置１においては、排水トラップ管路１０から排水された排水を床下の排水管路（図示せず）に排出させるが排水ソケット（図示せず）を採用した形態であってもよいし、排水トラップ管路１０から排水された排水を水洗大便器装置１の後方側の排水管路（図示せず）に排出させる排水ソケット（図示せず）を採用した形態であってもよい。
【００１６】
つぎに、図１〜図９を参照して、洗浄水タンク装置４について詳細に説明する。
図３は、本発明の一実施形態による水洗大便器装置における洗浄水タンク装置の内部構造を示す平面図であり、図４は、本発明の一実施形態による水洗大便器装置の洗浄水タンク装置の基本構成を示すブロック図である。
なお、図３に示す洗浄水タンク装置４の左右方向については、便器本体２の前方側から見て左右方向の左側を「左側」、便器本体２の前方側から見て左右方向の右側を「右側」とそれぞれ定義する。
【００１７】
図１〜図４に示すように、洗浄水タンク装置４は、その上流側が水道等の給水源（図示せず）に接続された給水管１８と、便器本体２のボウル部６よりも後方側の所定の設置スペースＳ１に組み付けられて、給水源（図示せず）から給水管１８を経て供給された洗浄水の一部が貯留されると共に便器本体２の導水路１４に洗浄水を供給するタンクである貯水タンク２０とを備えている。
また、この貯水タンク２０は、図３に示すように、平面視において左右方向に長い扁平形状に形成されており、図２に示すように、便器本体２の後方側の比較的低い位置に配置されて、貯水タンク２０の上端高さ位置が低い、いわゆる、ローシルエットタイプの貯水タンクである。
【００１８】
つぎに、図２〜図４に示すように、貯水タンク２０の内部には、給水管１８から定流量弁２２を介して供給された洗浄水を給止水する給水弁として、主弁２４を含む給水弁装置２６が内装されており、貯水タンク２０内の給水弁装置２６の下流側には、真空破壊弁２８を介して接続されたジェットポンプユニット３０（詳細は後述する）が内装されている。
また、図２〜図４に示すように、洗浄水タンク装置４は、便器本体２の前方側から見て貯水タンク２０の左側側部に設けられて給水弁装置２６の作動を操作するための操作レバー３２を備えている。
【００１９】
つぎに、図２〜図４に示すように、ジェットポンプユニット３０は、貯水タンク２０の内部において少なくとも一部が水没した状態で配置されており、真空破壊弁２８から延びる給水管３４から供給された洗浄水を噴射するジェットノズル３６を備えている。ここで、真空破壊弁２８は、外部から空気を吸入して真空破壊弁２８からジェットノズル３６までの給水管３４内が負圧にならないようにするためのものである。
また、図４に示すように、ジェットポンプユニット３０は、ジェットノズル３６の下流側近傍に設けられてジェットノズル３６から噴射された洗浄水の流路を貯水タンク２０内の水位に応じて切り替える流路切替弁３８を備えている。
さらに、図２〜図４に示すように、ジェットポンプユニット３０は、一端に吸引口４０ａが形成される共に他端に洗浄水を流出させる流出口４０ｂが形成されたスロート管４０を備えている。このスロート管４０は、その吸引口４０ａから流出口４０ｂまで延びた管形状が、例えば、逆Ｕ字形状（或いは、他の言い方をすれば、逆Ｊ字形状、又はグースネック型形状）に形成されている。
また、ジェットノズル３６は、スロート管４０の吸引口４０ａと対向するように配置されており、これらのスロート管４０の吸引口４０ａとジェットノズル３６は、常時、貯水タンク２０内で水没した状態となっている。
【００２０】
また、図２〜図４に示すように、流路切替弁３８は、便器本体２のボウル部６の洗浄時にジェットノズル３６からジェット噴射した洗浄水をスロート管４０の吸引口４０ａからスロート管４０内に流入させて、流出口４０ｂから便器本体２の導水路１４側に流出させる便器洗浄用流路４２と、貯水タンク２０の貯水時にジェットノズル３６からジェット噴射した洗浄水をスロート管４０内に流入させないように、スロート管４０の外部の貯水タンク２０内に差し向けるタンク貯水用流路４４とのいずれかの流路に貯水タンク２０内の水位に応じて切り替え可能となっている。これにより、流路切替弁３８が便器洗浄用流路４２に設定している場合には、ジェットノズル３６がスロート管４０の吸引口４０ａから内部に向けて洗浄水をジェット噴射することにより、スロート管４０内を流れる洗浄水の流量をジェットノズル３６から噴射された洗浄水の流量よりも増大させるジェットポンプ作用を誘発させて、増大した流量の洗浄水がスロート管４０の流出口４０ｂから便器本体２の導水路１４に向けて供給されるようになっている。
すなわち、本明細書中に記載されている「ジェットポンプ作用」という用語については、ジェットノズル３６からスロート管４０の吸引口４０ａに向けて噴射される勢いのある洗浄水の流れ自体が、ポンプ等の他の機械要素に依存することなく、直接的にスロート管４０の吸引口４０ａの近傍等の周囲の洗浄水を引き込むような負圧を形成し、この負圧を利用してスロート管４０内に吸い込んだ貯水タンク２０内の洗浄水を便器本体２側へ搬送する作用を意味している。
【００２１】
ここで、図２〜図６に示すように、給水弁装置２６については、その構造や作動機構については従来と同様であるため、具体的な説明については省略するが、主弁２４は、パイロット式のダイアフラム弁であり、駆動軸４６により操作レバー３２に接続されて且つこの操作レバー３２の操作により開閉される第１のパイロット弁（図示せず）の動作によって開閉可能であると共に、貯水タンク２６内の洗浄水の水位に伴い上下動するフロート４８の上下動により開閉される第２のパイロット弁（図示せず）の動作とによって開閉可能となっている。
【００２２】
つぎに、図５は、図２のＡ部拡大図である。
図２及び図３〜図５に示すように、便器本体２の導水路１４の後方側の流入口１４ａには、シール部材の便器本体流入口側シール部であるパッキン５０が水密に接続されている。このパッキン５０には、その後方側から接続部材である接続管部材５２の一端が挿入されて水密に接続されている。
また、図２及び図３〜図５に示すように、接続管部材５２は、パッキン５０に水密に接続された一端部（前端部）から後方側にほぼ水平方向に延びた後、上方側に差し向けられて屈曲する接続管路５２ａを形成している。
一方、図２及び図３〜図５に示すように、接続管部材５２の他端部（上端部５２ｂ）には、スロート管４０の流出口４０ｂを形成するスロート管側接続部５４が接続されている。
ここで、接続管部材５２は、貯水タンク２０が便器本体２の後方側の所定の設置スペースＳ１内に組み付けられた後、貯水タンク２０の内部に挿入された状態で便器本体２の導水路１４と貯水タンク２０とを水密に接続可能にするものである。
そして、図５に示すように、接続管部材５２は、その一端（前端部）が貯水タンク２０の内部から、貯水タンク２０の前壁部２０ａの流出口２０ｂを介して便器本体２の導水路１４の流入口１４ａに挿入された状態で便器本体２の導水路１４の流入口１４ａと貯水タンク２０内のスロート管４０の流出口４０ｂとを連通可能にする連通管部５２ｃを備えている。
【００２３】
さらに、図５に示すように、貯水タンク２０の流出口２０ｂには、シール部材のタンク本体流出口側シール部であるパッキン５６が水密に設けられており、このパッキン５６の内側には、接続管部材５２の連通管部５２ｃが後方側から挿入されて水密に接続されていると共に、パッキン５６の背面側には、接続管部材５２の連通管部５２ｃの外周面から径方向外側に突出するフランジ部５２ｄが密着して取り付けられた状態となっている。これにより、接続管部材５２の連通管部５２ｃと貯水タンク２０の流出口２０ｂとが水密に接続された状態となっているため、貯水タンク２０内の洗浄水は流出口２０ｂから漏出しないようになっている。
ちなみに、貯水タンク２０が所定の設置スペースＳ１内に組み付けられる前の状態では、貯水タンク２０内の給水弁装置２６、ジェットポンプユニット３０、及びこれらに関連する内部部品等については、貯水タンク２０内には取り付けられておらず、貯水タンク２０が所定の設置スペースＳ１内に組み付けられた後、接続管部材５２が貯水タンク２０内に挿入されてから、接続管部材５２の連通管部５２ｃにより便器本体２の導水路１４の流入口１４ａと貯水タンク２０の流出口２０ｂとが接続された状態で、貯水タンク２０内に取り付けられるようになっている。
なお、本実施形態では、接続管部材５２の連通管部５２ｃと、便器本体２の導水路１４の流入口１４ａ及び貯水タンク２０の流出口２０ｂとを水密に接続するシール部材として、パッキン５０，５６を採用した形態について説明するが、パッキン以外のシール部材を採用してもよい。要するに、接続管部材５２の連通管部５２ｃと、便器本体２の導水路１４の流入口１４ａ及び貯水タンク２０の流出口２０ｂとを水密に接続するようなシール部材であればよい。
また、本実施形態では、便器本体流入口側シール部であるパッキン５０及びタンク本体流出口側シール部であるパッキン５６については、互いに別部材である形態について説明するが、両部材５０，５６が互いに一体に形成されていてもよい。
【００２４】
つぎに、図６は、本発明の一実施形態による水洗大便器装置の背面図である。
図６に示すように、本実施形態の水洗大便器装置１は、洗浄水タンク装置４の貯水タンク２０が所定の設置スペースＳ１に設置された状態で、貯水タンク２０の背面側且つ左右両側の基底部２０ｃについて、貯水タンク２０の姿勢を水平状態に調整可能な水平調整部である一対の固定装置６６を備えている。
なお、本実施形態では、固定装置６６は、貯水タンク２０を便器本体２に固定する固定機能も兼ね備えているが、水平調整部とは別に貯水タンク２０を便器本体２に固定する固定機能を有する固定手段を備えていてもよい。
つぎに、図７は、図６に示す本発明の一実施形態による水洗大便器装置における洗浄水タンク装置の貯水タンクを便器本体に固定する固定装置を拡大した概略斜視図であり、図８は、本発明の一実施形態による水洗大便器装置における洗浄水タンク装置の貯水タンクを便器本体に固定する固定装置の概略図である。
図７及び図８に示すように、固定装置６６は、便器本体２の後方側の貯水タンク２０の設置スペースＳ１の底面６２の取付穴６２ａに挿入されて取り付けられたゴムブッシュ６８と、貯水タンク２０の基底部２０ｃを上下方向に貫くタンク固定用の長穴２０ｄ内に配置されたクッション等からなる可撓性部材７０と、ゴムブッシュ６８に可撓性部材７０を介して取り付けられたボルト７２と、このボルト７２に取り付けられると共にその下面が貯水タンク２０の底面２０ｅと接触可能である座金７４と、ボルト７２に取り付けられると共にその下面が座金７４の上面に接触可能であるばね座金７６とを備えている。
また、ボルト７２の頭部（上端部）には、その下面がばね座金７６の上面に接触可能であるボルト操作部７８が径方向外側に突出するように一体に形成されている。
さらに、ゴムブッシュ６８は、ボルト７２の下方部分が螺合されるナットとして機能するようにもなっている。
そして、これらの要素６８，７０，７２，７４，７６，７８は、貯水タンク２０の姿勢を水平状態に調整可能な水平調整部として機能するようになっている。これらの水平調整部のうち、特に可撓性部材７０については、貯水タンク２０の流出口２０ｂから便器本体２の導水路１４の流入口１４ａまでの区間における接続管部材５２の連通管部５２ｃの接続管路５２ａを水平状態に位置決め可能にする位置決め部材として機能するようになっている。
なお、本実施形態では、貯水タンク２０の流出口２０ｂから便器本体２の導水路１４の流入口１４ａまでの区間における接続管部材５２の連通管部５２ｃの接続管路５２ａを水平状態に位置決め可能にする位置決め部材として、可撓性部材７０を採用した例について説明したが、可撓性部材７０とは異なる形態のスペーサー等、他の構造の位置決め部材を採用してもよい。
また、本実施形態では、ゴムブッシュ６８と可撓性部材７０とが互いに別部材である形態について説明するが、両者６８，７０が互いに一体に形成された部材であってもよい。
【００２５】
まず、図５、図７及び図８に示すように、貯水タンク２０が所定の設置スペースＳ１内に組み付けられた後、接続管部材５２が貯水タンク２０内に挿入されてから、接続管部材５２の連通管部５２ｃにより便器本体２の導水路１４の流入口１４ａと貯水タンク２０の流出口２０ｂとが接続された状態では、特に、水平調整部の一部であるゴムブッシュ６８や可撓性部材７０等については、貯水タンク２０の流出口２０ｂのパッキン５６の中心軸線Ａ１、便器本体２の導水路１４の流入口１４ａのパッキン５０の中心軸線Ａ２、及び、接続管部材５２の連通管部５２ｃの接続管路５２ａの中心軸線Ａ３の互いに対する位置合わせが可能であり、貯水タンク２０の流出口２０ｂから便器本体２の導水路１４の流入口１４ａまでの区間における連通管部５２ｃの連通管路（接続管路５２ａ）を水平状態に位置決め可能に、弾性的に変形することができるようになっている。
【００２６】
より具体的に説明すると、図６〜図８に示すように、固定装置６６は、貯水タンク２０が便器本体２の後方側の所定の設置位置に組み付けられた後、水平調整部の操作部であるボルト操作部７８は締め付け操作が可能な操作部として機能するようになっており、このボルト操作部７８の締め付け具合に応じて、可撓性部材７０が軸方向に圧縮されるときの弾性変形量が調整可能となるため、貯水タンク２０の便器本体２に対する高さ位置を調整することができるようになっている。
したがって、貯水タンク２０が便器本体２の後方側の所定の設置位置に組み付けられた後、固定装置６６により便器本体２に固定された状態で、例えば、貯水タンク２０の高さ位置を微調整したり、貯水タンク２０の姿勢を水平状態に微調整したりする必要等が生じた場合には、貯水タンク２０を便器本体２の後方側の所定の設置位置から取り外すことなく、ボルト操作部７８の締め付け具合を操作して可撓性部材７０の変形具合や、便器本体２と貯水タンク２０との固定装置６６による締結具合を調整するだけで、簡単に貯水タンク２０の高さ位置を微調整したり、簡単に貯水タンク２０の姿勢を水平状態に微調整したりすることができるようになっている。
【００２７】
また、図８に示すように、本実施形態では、貯水タンク２０の基底部２０ｃにおけるタンク固定用の長穴２０ｄの大きさが、ボルト７２や可撓性部材７０の外径よりもある程度の大きく設定された調整穴として機能しているため、貯水タンク２０の寸法誤差や陶器製の便器本体２の多少の寸法誤差があっても、貯水タンク２０を長穴２０ｄの範囲内で移動させて位置を微調整することができ、寸法誤差を吸収することができるようになっている。
【００２８】
つぎに、図９は、本発明の一実施形態による水洗大便器装置における便器本体と貯水タンクとの接続状態を確認するときの状態を示す斜視図である。
図９に示すように、貯水タンク２０の外側前面２０ｆには、接続状態確認手段として、水平左右方向に延びる押し込み深さ確認ラインＬ１が設けられている。
一方、便器本体２における後方側の貯水タンク２０の設置スペースＳ１の前側上縁部８０の水平左右方向に延びるラインＬ２についても、貯水タンク２０の押し込み深さ確認ラインＬ１と一致するか否かを確認するための便器本体側の確認ラインＬ２となっており、接続状態確認手段として機能している。
ここで、図９に示す貯水タンク２０においては、貯水タンク２０が便器本体２の後方側の所定の設置スペースＳ１内に組み付けられた後、タンク蓋２ａが便器本体２における後方側の貯水タンク２０の設置スペースＳ１の上端部に取り付けられる前に、押し込み深さ確認ラインＬ１が便器本体側の確認ラインＬ２と平行であり、且つ両者Ｌ１，Ｌ２の高さ位置とほぼ一致しており、貯水タンク２０が便器本体２の後方側の所定の設置位置に正しく設置されている状態となっている。
【００２９】
つぎに、図１〜図１１Ｂを参照して、本発明の一実施形態による水洗大便器装置１の洗浄水タンク装置４を便器本体２の所定の設置位置に設置する方法、及び本発明の一実施形態による水洗大便器装置１の作用について説明する。
まず、図１０Ａは、本発明の一実施形態による水洗大便器装置において洗浄水タンク装置の貯水タンクが便器本体の後方側の所定の設置位置に組み付けられていない施工開始前状態を示す概略断面図である。
つぎに、図１０Ｂは、図１０Ａに示す施工開始前状態の後、本発明の一実施形態による水洗大便器装置の洗浄水タンク装置の内部部品が内装されていない状態の貯水タンクのみが便器本体の後方側の所定の設置位置に組み付けられた第１の施工状態を示す概略断面図である。
また、図１０Ｃは、図１０Ｂに示す第１の施工状態の後、本発明の一実施形態による水洗大便器装置の洗浄水タンク装置の接続管部材のみが貯水タンクの内部に挿入された後、貯水タンクの流出口及び便器本体の導水路の流入口のそれぞれにパッキンを介して水密に接続された第２の施工状態を示す概略断面図である。
さらに、図１０Ｄは、図１０Ｃに示す第２の施工状態の後、本発明の一実施形態による水洗大便器装置の洗浄水タンク装置の内部部品が貯水タンク内に内装されて、その一部が接続管部材に接続された第３の施工状態を示す概略断面図である。
つぎに、図１１Ａは、本発明の一実施形態による水洗大便器装置において、貯水タンクが所定の設置位置に組み付けられた状態で貯水タンクの流出口の中心軸線と便器本体の導水路の流入口の中心軸線とが互いに一致した正しい位置合わせが行われた結果、貯水タンクの流出口から便器本体の導水路の流入口までの区間における接続部材の連通管部が水平状態で正しく水密に接続されている状態を示す概略図である。
また、図１１Ｂは、図１１Ａに示す本発明の一実施形態による水洗大便器装置の比較例として、貯水タンクが所定の設置位置に組み付けられた状態で貯水タンクの姿勢が傾いた状態となり、貯水タンクの流出口の中心軸線と便器本体の導水路の流入口の中心軸線とが互いにずれた結果、貯水タンクの流出口から便器本体の導水路の流入口までの区間における接続部材の連通管部が正しく水密に接続されていない状態を示す概略図である。
【００３０】
まず、図１０Ａに示すように、作業者は、本実施形態による水洗大便器装置１の洗浄水タンク装置４を便器本体２の後方側の所定の設置スペースＳ１内に設置する前の施工開始前状態から施工を開始する。
そして、図１０Ｂに示すように、水洗大便器装置１の洗浄水タンク装置４の給水弁装置２６、ジェットポンプユニット３０、及びこれらの関連する内部部品等が内装されていない状態の貯水タンク２０のみを上方から設置スペースＳ１内に挿入する。これにより、内部部品等が内装されていない状態の貯水タンク２０のみが所定の設置スペースＳ１内に設定された第１の施工状態となる。
【００３１】
つぎに、図１０Ｂに示す第１の施工状態の後、図１０Ｃに示すように、接続管部材５２が上方から貯水タンク２０内に挿入された後、この接続管部材５２の連通管部５２ｃの一端（前端部）が貯水タンク２０の内部から、貯水タンク２０の前壁部２０ａの流出口２０ｂを介して便器本体２の導水路１４の流入口１４ａに挿入される。
このとき、図１０Ｃ及び図１１Ａに示すように、接続管部材５２の連通管部５２ｃと貯水タンク２０の前壁部２０ａの流出口２０ｂとがパッキン５６によって水密に接続されていると共に、接続管部材５２の連通管部５２ｃと便器本体２の導水路１４の流入口１４ａとがパッキン５０によって水密に接続された第２の施工状態となる。
【００３２】
つぎに、図１０Ｃに示す第２の施工状態の後、図５及び図１０Ｄに示すように、水洗大便器装置１の洗浄水タンク装置４の給水弁装置２６、ジェットポンプユニット３０、及びこれらの関連する内部部品等が貯水タンク２０内に内装され、その一部（スロート管４０の流出口４０ｂを形成するスロート管側接続部５４）が接続管部材５２の上端部５２ｂに接続された第３の施工状態となる。
なお、本実施形態においては、接続管部材５２の連通管部５２ｃと貯水タンク２０の前壁部２０ａの流出口２０ｂとがパッキン５６によって水密に接続されると共に、接続管部材５２の連通管部５２ｃと便器本体２の導水路１４の流入口１４ａとがパッキン５０によって水密に接続される第２の施工状態の後、給水弁装置２６、ジェットポンプユニット３０、及びこれらの関連する内部部品等が貯水タンク２０内に内装され、スロート管側接続部５４が接続管部材５２の上端部５２ｂに接続された第３の施工状態となる形態について説明するが、給水弁装置２６、ジェットポンプユニット３０、及びこれらの関連する内部部品等や接続管部材５２は、貯水タンク２０に対して、一緒に組み付けられてもよい。
【００３３】
つぎに、図１０Ｄに示す第３の施工状態の後、図６〜図８に示すように、固定装置６６によりボルト７２のボルト操作部７８の締め付け具合を調整しながら、貯水タンク２０の背面側且つ左右両側の基底部２０ｃについて、貯水タンク２０の姿勢が水平状態に維持されるように便器本体２に対して固定する。
そして、図９に示すように、押し込み深さ確認ラインＬ１が便器本体側の確認ラインＬ２と平行であり、且つ両者Ｌ１，Ｌ２の高さ位置とほぼ一致していることを確認し、貯水タンク２０が便器本体２の後方側の所定の設置位置に正しく設置されている状態が確認できた場合には、便器本体２における後方側の貯水タンク２０の設置スペースＳ１の上端部にタンク蓋２ａを取り付け、図１に示すような施工が完了した状態となる。
また、このとき、図５に示すように、貯水タンク２０の流出口２０ｂから便器本体２の導水路１４の流入口１４ａまでの区間における連通管部５２ｃの連通管路（接続管路５２ａ）が水平状態に位置決めされた状態となる。
さらに、このとき、図１１Ａに示すように、貯水タンク２０の流出口２０ｂのパッキン５６の中心軸線Ａ１、便器本体２の導水路１４の流入口１４ａのパッキン５０の中心軸線Ａ２、及び、接続管部材５２の連通管部５２ｃの接続管路５２ａの中心軸線Ａ３が互いに位置合わせされた状態となる。
【００３４】
一方、図９及び図１１Ｂに示すように、貯水タンク２０が便器本体２の後方側の所定の設置位置に正しく設置されている状態が確認できない場合には、貯水タンク２０内の姿勢が水平状態になっていないおそれがあるため、貯水タンク２０を所定の設置位置から取り外すことなく、貯水タンク２０の基底部２０ｃのタンク固定用の長穴２０ｄの範囲内で貯水タンク２０の位置をずらすことにより、設定スペースＳ１内の貯水タンク２０の便器本体２に対する前後方向や左右方向の相対位置を調整したり、再度、図６〜図８に示すように、固定装置６６のボルト操作部７８の締め付け具合を調整しながら、ゴムブッシュ６８や可撓性部材７０の弾性変形量を調整することにより、図９に示すように、正しい設置状態が確認できるまで、貯水タンク２０の便器本体２に対する高さ位置を調整したりする等の微調整を行う。
【００３５】
上述した本発明の一実施形態による水洗大便器装置１によれば、便器本体２のボウル部６よりも後方側の所定の設置スペースＳ１に組み付けられた状態で貯水タンク２０の姿勢を水平状態に調整可能な水平調整部として、固定装置６６が便器本体２及び貯水タンク２０に設けられており、この固定装置６６が、水平調整部として、ゴムブッシュ６８、可撓性部材７０、ボルト操作部７８を含むボルト７２、座金７４、及びばね座金７６を備えているため、仮に貯水タンク２０が傾いた状態で便器本体２のボウル部６よりも後方側の所定の設置スペースＳ１に組み付けられて固定装置６６により便器本体２に対して固定されたとしても、固定装置６６の水平調整部６８，７０，７２，７４，７６，７８により貯水タンク２０の姿勢を水平状態になるように調整することができる。
したがって、例えば、適用する貯水タンク２０について、貯水タンク２０内の深さが比較的浅く、貯水タンク２０の上端高さ位置が低いタイプの貯水タンク２０（いわゆる、「ローシルエットタイプのタンク」という。）で、その前後方向（奥行方向）の幅や左右方向（横方向）の幅もコンパクトな貯水タンク２０にすることができるため、水洗大便器装置１全体についても、高さを抑えたローシルエットにすることができ、小型化することができる。
また、貯水タンク２０及びその内部の水位が傾くことによって貯水タンク２０内のジェットポンプユニット３０のジェットポンプ作用による貯水タンク２０内の洗浄水の吸引量が低下してしまうことを抑制することができるため、ジェットポンプ性能の低下を抑制することができる。
したがって、貯水タンク２０から便器本体２に供給される洗浄水量を安定化させることができるため、洗浄性能の低下を抑制することができると共に、節水性能の低下についても抑制することができる。
【００３６】
また、仮に、図１１Ｂに示す本発明の一実施形態による水洗大便器装置１の比較例の場合において貯水タンク２０の流出口２０ｂの中心軸線Ａ１と便器本体２の導水路１４の流入口１４ａの中心軸線Ａ２とがずれている場合（図１１Ｂ参照）、接続管部材５２の連通管部５２ｃの連通管路（接続管路５２ａ）からその下流側の流路（例えば、便器本体２の導水路１４等）において洗浄水の流れのベクトルが変化するため、貯水タンク２０側においても、ジェットポンプユニット３０のジェットポンプ作用による貯水タンク２０内の洗浄水の吸引量が低下し、ジェットポンプ性能が低下するおそれがある。
これに対し、本実施形態による水洗大便器装置１によれば、図５及び図１１Ａに示すように、水平調整部である固定装置６６が、貯水タンク２０の流出口２０ｂから便器本体２の導水路１４の流入口１４ａまでの区間における接続管部材５２の連通管部５２ｃの連通管路（接続管路５２ａ）を水平状態に位置決め可能にする位置決め部材である可撓性部材７０を備えていることにより、貯水タンク２０が便器本体２の所定の設置スペースＳ１に組み付けられた後、可撓性部材７０により貯水タンク２０の流出口２０ｂから便器本体２の導水路１４の流入口１４ａまでの区間における接続管部材５２の連通管部５２ｃの連通管路（接続管路５２ａ）を水平状態に容易に位置決めすることができ、貯水タンク２０の流出口２０ｂの中心軸線Ａ１と便器本体２の導水路１４の流入口１４ａの中心軸線Ａ２との位置合わせを容易に行うことができる。
したがって、接続管部材５２の連通管部５２ｃからその下流側の便器本体２の導水路１４に流れる洗浄水の流れのベクトルの変化を抑制することができるため、貯水タンク２０側においても、ジェットポンプユニット３０のジェットポンプ作用による貯水タンク２０内の洗浄水の吸引量の低下を抑制することができ、ジェットポンプ性能の低下を抑制することができる。
【００３７】
さらに、本実施形態による水洗大便器装置１によれば、貯水タンク２０が便器本体２の所定の設置スペースＳ１に組み付けられた後、固定装置６６により便器本体２に固定された状態で、例えば、貯水タンク２０の高さ位置を微調整したり、貯水タンク２０の姿勢を水平状態に微調整したりする必要等が生じた場合には、貯水タンク２０を便器本体２のボウル部６よりも後方側の所定の設置スペースＳ１から取り外すことなく、水平調整部の操作部（ボルト操作部７８）を操作して可撓性部材７０の変形具合や、便器本体２と貯水タンク２０との締結具合を調整するだけで、簡単に便器本体２に対する貯水タンク２０の高さ位置を微調整したり、簡単に貯水タンク２０の姿勢を水平状態に微調整したりすることができる。
したがって、貯水タンク２０の姿勢を水平状態に保つことにより、ジェットポンプユニット３０のジェットポンプ作用による貯水タンク２０内の洗浄水の吸引量の低下を抑制することができ、ジェットポンプ性能の低下を抑制することができる。
【００３８】
さらに、本実施形態による水洗大便器装置１によれば、シール部材（パッキン５０，５６）が、貯水タンク２０が便器本体２の所定の設置スペースＳ１に組み付けられた状態で、貯水タンク２０の流出口２０ｂに取り付けられたタンク流出口側シール部であるパッキン５６と、便器本体２の導水路１４の流入口１４ａに取り付けられた便器本体流入口側シール部であるパッキン５７とを備えており、水平調整部６６，６８，７０，７２，７４，７６，７８が、タンク流出側シール部（パッキン５６）の中心軸線（貯水タンク２０の流出口２０ｂの中心軸線Ａ１）、便器本体流入口側シール部（パッキン５０）の中心軸線（便器本体２の導水路１４の流入口１４ａの中心軸線Ａ２）、及び接続管部材５２の連通管部５２ｃの連通管路（接続管路５２ａ）の中心軸線Ａ３の互いの位置合わせを可能にするものであることにより、貯水タンク２０の流出口２０ｂや便器本体２の導水路１４の流入口１４ａにおけるシール性を向上させることができ、タンク流出口側シール部（パッキン５６）、便器本体流入口側シール部（パッキン５０）、及び接続管部材５２の連通管部５２ｃの互いに対しても、より確実に水密に接続することができる。
【符号の説明】
【００３９】
１    水洗大便器装置
２    便器本体
２ａ  タンク蓋
４    洗浄水タンク装置
６    ボウル部
８    リム部
１０    排水トラップ管路
１０ａ  排水トラップ管路の入口
１２    排水ソケット
１４    導水路
１４ａ  導水路の流入口
１６    吐水口
１８    給水管
２０    貯水タンク（タンク）
２０ａ  貯水タンクの前壁部
２０ｂ  貯水タンクの流出口
２０ｃ  貯水タンクの背面側且つ左右両側の基底部
２０ｄ  タンク固定用の長穴
２０ｅ  貯水タンクの底面
２０ｆ  貯水タンクの外側前面
２２    定流量弁
２４    主弁
２６    給水弁装置
２８    真空破壊弁
３０    ジェットポンプユニット
３２    操作レバー
３４    給水管
３６    ジェットノズル
３８    流路切替弁
４０    スロート管
４０ａ  吸引口
４０ｂ  流出口
４２    便器洗浄用流路
４４    タンク貯水用流路
４６    駆動軸
４８    フロート
５０    パッキン（シール部材、便器本体流入口側シール部）
５２    接続管部材（接続部材）
５２ａ  接続管路（連通管路）
５２ｂ  接続管部材の上端部
５２ｃ  接続管部材の連通管部
５２ｄ  接続管部材のフランジ部
５４    スロート管側接続部
５６    パッキン（シール部材、タンク本体流出口側シール部）
６２    便器本体の後方側の貯水タンクの設置スペースの底面
６２ａ  取付穴
６６    固定装置（水平調整部）
６８    ゴムブッシュ（水平調整部）
７０    可撓性部材（水平調整部、位置決め部材）
７２    ボルト（水平調整部）
７４    座金（水平調整部）
７６    ばね座金（水平調整部）
７８    ボルト操作部（水平調整部、操作部）
８０    便器本体の後方側の貯水タンクの設置スペースの前側上縁部
Ａ１    貯水タンクの流出口の中心軸線
Ａ２    便器本体の導水路の流入口の中心軸線
Ａ３    接続管部材の連通管部の接続管路の中心軸線
Ｌ１    貯水タンクの押し込み深さ確認ライン
Ｌ２    便器本体側の確認ライン
Ｓ１    便器本体の後方側の貯水タンクの設置スペース
【図１】
0006735027.tif 000002
【図２】
0006735027.tif 000003
【図３】
0006735027.tif 000004
【図４】
0006735027.tif 000005
【図５】
0006735027.tif 000006
【図６】
0006735027.tif 000007
【図７】
0006735027.tif 000008
【図８】
0006735027.tif 000009
【図９】
0006735027.tif 000010
【図１０Ａ】
0006735027.tif 000011
【図１０Ｂ】
0006735027.tif 000012
【図１０Ｃ】
0006735027.tif 000013
【図１０Ｄ】
0006735027.tif 000014
【図１１Ａ】
0006735027.tif 000015
【図１１Ｂ】
0006735027.tif 000016